【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
少なくとも2つの液体チャネルを画定する長手方向ボディと；
該長手方向ボディにおいて画定され、該長手方向ボディ上に間隔を空けて配された少なくとも2つの植物ホルダーと
を含む、プランターであって、該少なくとも2つの液体チャネルの各々が、該長手方向ボディの第一の端部から該少なくとも2つの植物ホルダーのうちの対応する植物ホルダーまで延びている、プランター。
【請求項２】
2つの液体チャネルが、
長手方向に延びている第一の液体チャネルと；
長手方向に延びている該第一の液体チャネルとは別個の、長手方向に延びている第二の液体チャネルと
を含む、請求項1記載のプランター。
【請求項３】
少なくとも2つの植物ホルダーの各々が、少なくとも2つの液体チャネルのうちの対応する1つと流体流連通しており；
該少なくとも2つの植物ホルダーのうちの第一の植物ホルダーが、長手方向に延びている第一の液体チャネルと流体流連通しており；
該少なくとも2つの植物ホルダーのうちの第二の植物ホルダーが、長手方向に延びている第二の液体チャネルと流体流連通している、請求項2記載のプランター。
【請求項４】
長手方向ボディが、該長手方向ボディの長手方向導管の少なくとも一部を少なくとも2つの液体チャネルに分割するように構成された仕切りを含み；
少なくとも2つの植物ホルダーが、該長手方向ボディの長さにわたって向かい合う側に交互に間隔を空けて配されており；
該ボディにおいて画定された該少なくとも2つの植物ホルダーが、該ボディと一体形成されている、請求項1記載のプランター。
【請求項５】
長手方向ボディの第一の端部における第一の接続用構成部と；
該長手方向ボディの、該第一の端部とは反対側の第二の端部における、第二の接続用構成部と
をさらに含む、請求項1記載のプランター。
【請求項６】
各植物ホルダーが、それに対応する液体チャネルと流れ連通しているインレット開口部およびアウトレット開口部を含み、重力による、該インレット開口部を通り該植物ホルダーに入る液体流と該アウトレット開口部を通り該植物ホルダーから出る液体流とを可能にするように、該インレット開口部が該アウトレット開口部より上に位置している、請求項1記載のプランター。
【請求項７】
長手方向に延びている少なくとも1つの気体チャネルをさらに含み、該気体チャネルが、長手方向ボディの第一の端部と第二の端部との間の該長手方向ボディの長さに沿って複数の気体アウトレットを有する、請求項1記載のプランター。
【請求項８】
長手方向ボディが、該長手方向ボディの各端部に接続用構成部を含み、該接続用構成部が、対応するプランターの対応する接続用構成部に嵌まるような形状および寸法であり、該接続用構成部が、
隣接するプランターボディの液体チャネルを互いに接続するための液体チャネル接続用構成部；および／または
隣接するプランターボディの気体チャネルを互いに接続するための気体チャネル接続用構成部
を含む、請求項1記載のプランター。
【請求項９】
植物支持体を受けるように構成された、少なくとも2つの植物ホルダーのうちの特定の植物ホルダーと関連した外部取付用構成部をさらに含む、請求項1記載のプランター。
【請求項１０】
植物支持体をさらに含み、該植物支持体が、特定の植物ホルダーから成長する匍匐植物の一部を支持するように構成された匍匐植物用トレリスを含む、請求項9記載のプランター。
【請求項１１】
少なくとも2つの植物ホルダーのうちの1つの植物ホルダーの口部内に嵌まるような形状および寸法である栽植用インサートをさらに含む、請求項1記載のプランター。
【請求項１２】
栽植用インサートがトレイを含み、該トレイが、
ボディと；
インレット開口部と；
液体の排水を可能にするように構成された排水用スリットを含む平面基部と
を含む、請求項11記載のプランター。
【請求項１３】
栽植用インサートが播種用クリップを含み、該播種用クリップが、
特定の植物ホルダーの口部の一部を覆うように構成されたボディと；
植物の茎と係合するような形状のスロットを有するプレートと
を含む、請求項11記載のプランター。
【請求項１４】
細長の直立型プランターを形成するように互いに連結された複数のプランターを含むプランタータワーであって、該プランタータワーの側面から植物ホルダーが延びており、該複数のプランターのうちの少なくとも1つのプランターが長手方向ボディを含み、該長手方向ボディが、少なくとも該長手方向ボディの第一の端部から該長手方向ボディにおいて画定された第一の植物ホルダーまで延びる、第一の液体チャネルを画定し、かつ、少なくとも該長手方向ボディの第一の端部から該長手方向ボディにおいて画定された第二の植物ホルダーまで延びる、第二の液体チャネルを画定する、プランタータワー。
【請求項１５】
互いに接続された複数のプランターの端部に接続するような形状および寸法である少なくとも1つの端部部材をさらに含む、請求項14記載のプランタータワー。
【請求項１６】
少なくとも1つの端部部材が、互いに接続された複数のプランターの最上端部に取り付けられる最上端部部材を含み、該最上端部部材が、第一の液体チャネルおよび第二の液体チャネルに向けて液体を導くように構成されている、請求項15記載のプランタータワー。
【請求項１７】
少なくとも1つの端部部材が、互いに接続された複数のプランターの最下端部に取り付けられる最下端部部材を含み、該最下端部部材が、第一の液体チャネルおよび第二の液体チャネルから液体を導くように構成されている、請求項15記載のプランタータワー。
【請求項１８】
長手方向ボディを含む少なくとも1つのプランターを含むプランタータワーのアレイであって、該長手方向ボディが、少なくとも該長手方向ボディの第一の端部から該長手方向ボディにおいて画定された第一の植物ホルダーまで延びる、第一の液体チャネルを画定し、かつ、少なくとも該長手方向ボディの第一の端部から該長手方向ボディにおいて画定された第二の植物ホルダーまで延びる、第二の液体チャネルを画定し、該プランタータワーのアレイの少なくとも1つのタワーが、
該タワーの第一の端部に位置づけられたインテーク用クロージャーを介して液体供給ラインおよび気体供給ラインに連結され、かつ
該タワーの第二の端部に位置づけられたアウトレット用クロージャーを介して液体回収ラインおよび気体回収ラインに連結されている、
プランタータワーのアレイと；
該液体供給ラインおよび該液体回収ラインに連結された液体循環システムと；
該気体供給ラインおよび該気体回収ラインに連結された気体循環システムと
を含む、温室。
【請求項１９】
空調装置、高圧ファン、ダンパー、コイル式冷却器、地熱式加温器、地熱式冷却器、熱ポンプ、湿度コントローラー、および赤外線コントローラーからなる装置群より選択される装置
をさらに含む、請求項18記載の温室。
【請求項２０】
液体循環システムに接続され、栄養分を該液体循環システム内に提供するように構成された、栄養分供給用添加ポンプ；または
液体循環システムに接続され、該液体循環システムの液体を濾過するように構成された、濾過器
をさらに含む、請求項18記載の温室。
【手続補正２】
【補正対象書類名】明細書
【補正対象項目名】００４４
【補正方法】変更
【補正の内容】
【００４４】
[本発明1001]
長手方向に延びている少なくとも2つの液体チャネルを画定する長手方向ボディと；
該ボディにおいて画定され、該長手方向ボディの外周上に間隔を空けて配された少なくとも2つの植物ホルダーであって、その各々が、該長手方向に延びている少なくとも2つの液体チャネルのうちの1つと流体流連通している、少なくとも2つの植物ホルダーと
を含む、プランター。
[本発明1002]
長手方向ボディが、長手方向に延びている少なくとも2つの液体チャネルを画定するように内部で分割されている長手方向導管を含む、本発明1001のプランター。
[本発明1003]
各植物ホルダーが、中に植物を受けることができるホルダー口部を画定している、本発明1001のプランター。
[本発明1004]
ホルダー口部が、圧平された円柱状楕円形および円柱状円形のうちのいずれか1つの形状である、本発明1003のプランター。
[本発明1005]
少なくとも2つの植物ホルダーが、長手方向ボディの向かい合う側に位置している、本発明1001のプランター。
[本発明1006]
少なくとも2つの植物ホルダーが、長手方向ボディの長さにわたって向かい合う側に交互に間隔を空けて配されている、本発明1001のプランター。
[本発明1007]
植物ホルダーの各々が、長手方向に延びている液体チャネルのうちの異なる1つと流体流連通している、本発明1001のプランター。
[本発明1008]
長手方向ボディが、該長手方向ボディの各端部に接続用構成部を含んでいる、本発明1001のプランター。
[本発明1009]
接続用構成部が、対応するプランターの対応する接続用構成部に嵌まるような形状および寸法である、本発明1008のプランター。
[本発明1010]
プランターの長手方向ボディの下部作用端部が、該プランターの下に設置される対応するプランターの長手方向ボディの上部作用端部にある対応する接続用構成部に嵌まるための接続用構成部を有し、かつ、プランターの長手方向ボディの上部作用端部が、該プランターの上に設置される対応するプランターの長手方向ボディの下部作用端部にある対応する接続用構成部に嵌まるための接続用構成部を有する、本発明1009のプランター。
[本発明1011]
接続用構成部が、対応するプランターのスピゴット構成部およびソケット構成部にそれぞれ嵌まるような形状および寸法であるソケット構成部およびスピゴット構成部の形態である、本発明1009のプランター。
[本発明1012]
プランターの長手方向ボディの下部作用端部が、該プランターの下に設置される対応するプランターの長手方向ボディの上部作用端部にあるソケット構成部内に嵌まるためのスピゴット構成部を有し、かつ、プランターの長手方向ボディの上部作用端部が、該プランターの上に設置される対応するプランターの長手方向ボディの下部作用端部にあるスピゴット構成部を受けるためのソケット構成部を有する、本発明1010のプランター。
[本発明1013]
プランターの長手方向ボディの下部作用端部が、該プランターの下に設置される対応するプランターの長手方向ボディの上部作用端部にあるスピゴット構成部を受けるためのソケット構成部を有し、かつ、プランターの長手方向ボディの上部作用端部が、該プランターの上に設置される対応するプランターの長手方向ボディの下部作用端部にあるソケット構成部内に嵌まるためのスピゴット構成部を有する、本発明1010のプランター。
[本発明1014]
各植物ホルダーが、それに対応する液体チャネルと流れ連通しているインレット開口部およびアウトレット開口部を含んでいる、本発明1001のプランター。
[本発明1015]
重力による、インレット開口部を通り植物ホルダーに入る液体流とアウトレット開口部を通り植物ホルダーから出る液体流とを可能にするように、インレット開口部がアウトレット開口部より上に位置している、本発明1014のプランター。
[本発明1016]
長手方向に延びている少なくとも1つの気体チャネルを含み、該気体チャネルが、その長さに沿って間隔を空けて配された複数の気体アウトレットを有する、本発明1001のプランター。
[本発明1017]
気体アウトレットがプランターボディの外部に対して開口している、本発明1016のプランター。
[本発明1018]
気体アウトレットがノズルの形態である、本発明1017のプランター。
[本発明1019]
接続用構成部が、隣接するプランターボディの液体チャネルを互いに接続するための液体チャネル接続用構成部を含む、本発明1008のプランター。
[本発明1020]
接続用構成部が、隣接するプランターボディの気体チャネルを互いに接続するための気体チャネル接続用構成部を含む、本発明1008のプランター。
[本発明1021]
植物支持体を取り付けるための、各植物ホルダーと関連した外部取付用構成部を含む、本発明1001のプランター。
[本発明1022]
取付用構成部が植物ホルダー口部より下に位置する、本発明1021のプランター。
[本発明1023]
植物支持体が、植物ホルダー内に植えられた匍匐植物が該植物ホルダーの口部から成長したときに該匍匐植物を支持するように構成された匍匐植物用トレリスの形態である、本発明1021のプランター。
[本発明1024]
少なくとも2つの植物ホルダーの口部内に嵌まるような形状および寸法である栽植用インサートを含む、本発明1001のプランター。
[本発明1025]
栽植用インサートが、実生苗用トレイ、栽植用トレイ、および播種用クリップのうちのいずれか1つまたは複数から選択される、本発明1024のプランター。
[本発明1026]
実生苗用トレイが、植物ホルダーの形状に合わせた形状の円柱形ボディの形態であり、かつ、該植物ホルダーのインレット開口部と対応づけられたインレット開口部を含み、該実生苗用トレイが、該実生苗用トレイからの実生苗の流出を伴わない液体の排水を可能にするような排水用スリットを提供するために複数部分に切り込みを入れられた平面基部を含む、本発明1025のプランター。
[本発明1027]
栽植用トレイが、植物ホルダーの形状に合わせた形状の円柱形ボディの形態であり、かつ、該植物ホルダーのインレット開口部と対応づけられたインレット開口部を含み、該栽植用トレイが、該実生苗用トレイからの実生苗の流出を伴わない液体の排水を可能にするような排水用スリットを提供するために複数部分に切り込みを入れられた平面基部を含む、本発明1025のプランター。
[本発明1028]
栽植用トレイの側壁の一部も排水用スリットを含む、本発明1027のプランター。
[本発明1029]
側壁の一部が基部に向かってわずかに先細になっている、本発明1027のプランター。
[本発明1030]
播種用クリップが、プランター口部を閉じるための平面ボディを有し、かつ、植物の茎と係合するような形状のスロットを有する下方に突出したプレートを備えている、本発明1025のプランター。
[本発明1031]
細長の直立型プランターを形成するように互いに接続された本発明1001〜1030のいずれか1つまたは複数の複数のプランターを含むプランタータワーであって、プランタータワーの側面から植物ホルダーが延びている、プランタータワー。
[本発明1032]
植物ホルダーが、互いに接続された長手方向ボディの長さにわたって向かい合う側に交互に間隔を空けて配されている、本発明1031のプランタータワー。
[本発明1033]
互いに接続された複数のプランターの端部に接続するような形状および寸法である少なくとも1つの端部部材を含む、本発明1031のプランタータワー。
[本発明1034]
複数のプランターの最上端部に接続するための最上端部部材と、該複数のプランターの最下端部に接続するための最下端部部材という、2つの端部部材を含む、本発明1033のプランタータワー。
[本発明1035]
少なくとも1つの端部部材が、ソケットおよびスピゴットの様式でプランターの長手方向ボディの端部に嵌まるような形状である、本発明1033のプランタータワー。
[本発明1036]
少なくとも1つの端部部材が、長手方向に延びている液体チャネルと整合するように対応づけられた2つの液体導管を含む、本発明1033のプランタータワー。
[本発明1037]
少なくとも1つの端部部材が、プランターを通って延びている気体チャネルと整合するように対応づけられた気体導管を含む、本発明1033のプランタータワー。
[本発明1038]
少なくとも1つの端部部材が、長手方向ボディの端部の整合するスピゴット構成部およびソケット構成部に嵌まるための、ソケット構成部を備えた1つの面と、スピゴット構成部を備えた1つの面という、2つの面を有するボディを含む、本発明1035のプランタータワー。
[本発明1039]
最上端部部材が、長手方向に延びている2つの液体チャネル内に液体を導くため、および、長手方向に延びている少なくとも1つの気体チャネル内に気体を導くための、相互接続された複数のプランターの最上端部に取り付けられるインテーク用クロージャーの形態である、本発明1034のプランタータワー。
[本発明1040]
最下端部部材が、長手方向に延びている2つの液体チャネルから液体を導くため、および、長手方向に延びている少なくとも1つの気体チャネルから気体を導くための、相互接続された複数のプランターの最下端部に取り付けられるアウトレット用クロージャーの形態である、本発明1034のプランタータワー。
[本発明1041]
少なくとも1つの端部部材が、任意のあふれた液体を受けるための集水用トレイを含む、本発明1033のプランタータワー。
[本発明1042]
液体チャネルが、相互接続されたプランターの長さにわたって延びている、本発明1036のプランタータワー。
[本発明1043]
各プランターが気体チャネルを含み、該気体チャネルが、相互接続されたプランターの長さにわたって延びている、本発明1031のプランタータワー。
[本発明1044]
本発明1031〜1043のいずれか1つまたは複数のプランタータワーのアレイであって、該プランタータワーが、間隔を空けた平行な列に配列され、該列が、インテーク用クロージャーを介して各プランタータワーの最上部に接続された最上部液体気体供給ラインを備えており、該列が、アウトレット用クロージャーを介して各プランタータワーの最下部に接続された最下部液体気体回収ラインをさらに備えている、プランタータワーのアレイと；
該液体供給ラインおよび該液体回収ラインに接続された液体循環システムと；
該気体供給ラインおよび該気体回収ラインに接続された気体循環システムと
を含む、水耕温室。
[本発明1045]
プランターの気体アウトレットがプランターボディの外部に向けられており、該気体アウトレットが、隣接するプランタータワー内の植物の葉に十分なガス交換を提供するのに有利であるように、該植物に向けられている、本発明1044の水耕温室。
[本発明1046]
部分的に閉鎖された囲いを含み、該囲いが、空調装置、高圧ファン、ダンパー、液体もしくは気体を液体回収ラインから液体供給ラインもしくは気体供給ラインに再循環させるためのコイル式冷却器、地熱式加温器／冷却器、熱ポンプ、湿度コントローラー、および赤外線コントローラーのうちのいずれか1つまたは複数を備えている、本発明1044の水耕温室。
[本発明1047]
液体循環システムに栄養分を添加するための、該液体循環システムに接続された栄養分供給用添加ポンプを備えている、本発明1044の水耕温室。
[本発明1048]
液体循環システム内の液体を濾過するための、該液体循環システムに接続された濾過用設備を備えている、本発明1044の水耕温室。
[本発明1049]
実質的に本願明細書において説明および図示されている、本発明1001のプランター。
[本発明1050]
実質的に本願明細書において説明および図示されている、本発明1031のプランタータワー。
[本発明1051]
実質的に本願明細書において説明および図示されている、本発明1044の水耕温室。
[本発明1052]
実質的に本願明細書において説明されている、新しいプランター、新しいプランタータワー、および新しい水耕温室。
次に、以下の図面を参照しながら、非限定的な実施例によって本発明を説明する。